(57)【要約】【課題】バスバーの端子部を、回転電機及び電力変換装置に容易に接続することが可能なバスバーユニットを提供する。【解決手段】バスバーユニット３は、屈曲部３２３Ｕ、３２３Ｖ、３２３Ｗを有するバスバー３０Ｕ、３０Ｖ、３０Ｗと、バスバー３０Ｕ、３０Ｖ、３０Ｗをまとめて覆うカバー部材４０と、を備える。カバー部材４０は、少なくとも屈曲部３２３Ｕ、３２３Ｖ、３２３Ｗの周囲を覆うカバー部４２と、カバー部４２をケース１１に取り付けるカバー固定部４１ｂと、を備える。カバー部材４０は、カバー固定部４１ｂがケース１１に取り付けられた状態で、バスバー３０Ｕ、３０Ｖ、３０Ｗと接触しないように構成されている。【選択図】図３
2020018065.tif 000002
【特許請求の範囲】
【請求項１】
一端部に設けられた第１端子部と、他端部に設けられた第２端子部と、を備え、該第１端子部が回転電機の各相のコイルの端子部に接続される、複数のバスバーと、
該複数のバスバーをまとめて覆うカバー部材と、を備えたバスバーユニットであって、
各バスバーは、屈曲部を有し、
前記カバー部材は、少なくとも前記屈曲部の周囲を覆うカバー部と、前記カバー部を支持部材に取り付けるカバー固定部と、を備え、
前記カバー部材は、前記カバー固定部が前記支持部材に取り付けられた状態で、前記複数のバスバーと接触しないように構成されている、バスバーユニット。
【請求項２】
請求項１に記載のバスバーユニットであって、
前記カバー部材は、
前記複数のバスバーを上方から覆うアッパーカバーと、
前記複数のバスバーを下方から覆うロアカバーと、
前記アッパーカバー及び前記ロアカバーを保持する保持部と、前記カバー固定部と、を有するカバーベースと、を備える、バスバーユニット。
【請求項３】
請求項２に記載のバスバーユニットであって、
前記アッパーカバー及び前記ロアカバーは、互いに係合する係合部を有し、
前記カバーベースの前記保持部は、前記係合部を保持することで前記アッパーカバー及び前記ロアカバーを保持する、バスバーユニット。
【請求項４】
請求項３に記載のバスバーユニットであって、
前記複数のバスバーは、３本のバスバーであり、
前記３本のバスバーは、前記カバー部材の内部で同一平面上に並べて配置され、
前記係合部は、前記アッパーカバー及び前記ロアカバーの一方に設けられた一対の係合爪と、前記アッパーカバー及び前記ロアカバーの他方に設けられた一対の係合孔と、を有し、
前記一対の係合爪の一方は、前記３本のバスバーのうち一方側のバスバーと中央のバスバーとの間に配置され、
前記一対の係合爪の他方は、前記３本のバスバーのうち他方側のバスバーと前記中央のバスバーとの間に配置されている、バスバーユニット。
【請求項５】
請求項１〜４のいずれか１項に記載のバスバーユニットであって、
各バスバーの前記第１端子部及び前記第２端子部は、締結部材が挿入される孔部を有し、
各バスバーの前記第１端子部及び前記第２端子部の少なくとも一方は、端子台に設けられた回り止め部と当接する、バスバーユニット。
【発明の詳細な説明】
【技術分野】
【０００１】
本発明は、回転電機のバスバーユニットに関する。
【背景技術】
【０００２】
特許文献１に記載の回転電機では、各相のコイルと回転電機の端子台とを接続する線状導体が樹脂モールド部によって一体に連結された接続部品が開示されている。
【０００３】
また、近年では、回転電機と、該回転電機の電力を変換する電力変換器（例えば、インバータ）等の制御装置と、を近接配置し、回転電機と制御装置とをバスバーを介して接続することが検討されている。
【先行技術文献】
【特許文献】
【０００４】
【特許文献１】特開２０１７−７９５２８号公報
【発明の概要】
【発明が解決しようとする課題】
【０００５】
回転電機と制御装置とをバスバーを介して接続するに際し、特許文献１の回転電機用接続部品と同様に、バスバーを樹脂モールド部によって一体に連結することが考えられる。しかしながら、バスバーの長さが長い場合、バスバーの製造誤差や樹脂モールド部の成形時における製造誤差等の影響が大きくなり、バスバー両端の端子部を回転電機及び制御装置に接続することが困難となる虞があった。
【０００６】
一方で、各相別のバスバーを、一体化されていない個別のものとすると、バスバーの取り扱い性が悪い。また、バスバー両端の端子部を回転電機及び制御装置に接続する際に、各相別のバスバーそれぞれについて位置合わせ等しなければならず、工程が複雑化するという問題があった。
【０００７】
本発明は、バスバーの端子部を、回転電機及び制御装置に容易に接続することが可能なバスバーユニットを提供する。
【課題を解決するための手段】
【０００８】
本発明は、
一端部に設けられた第１端子部と、他端部に設けられた第２端子部と、を備え、該第１端子部が回転電機の各相のコイルの端子部に接続される、複数のバスバーと、
該複数のバスバーをまとめて覆うカバー部材と、を備えたバスバーユニットであって、
各バスバーは、屈曲部を有し、
前記カバー部材は、少なくとも前記屈曲部の周囲を覆うカバー部と、前記カバー部を支持部材に取り付けるカバー固定部と、を備え、
前記カバー部材は、前記カバー固定部が前記支持部材に取り付けられた状態で、前記複数のバスバーと接触しないように構成されている。
【発明の効果】
【０００９】
本発明によれば、カバー部が少なくとも屈曲部の周囲を覆うため、バスバーユニットの組立後は、カバー部材によって複数のバスバーを一体として扱うことができる。また、バスバーユニットの端子接続作業時には、複数のバスバーはカバー部内である程度動くことができるため、各バスバーに製造誤差があっても、各バスバーの第１端子部及び第２端子部を容易に接続することができる。
【図面の簡単な説明】
【００１０】
【図１】本発明の一実施形態のバスバーユニットが搭載される回転電機の全体構成を示す斜視図である。
【図２】図１のバスバーユニットを上方からみた図である。
【図３】図２のバスバーユニットをアッパーカバーを外した状態で上方からみた図である。
【図４】図２のバスバーユニットのＡ−Ａ断面図である。
【図５】図１の要部拡大図である。
【発明を実施するための形態】
【００１１】
以下、本発明のバスバーユニットの一実施形態を、添付図面に基づいて説明する。
【００１２】
まず、本発明の一実施形態のバスバーユニットが搭載される回転電機の全体構成を、図１に基づいて説明する。図１に示す回転電機１は、例えばハイブリッド自動車や電気自動車のような車両に搭載される走行用モータである。但し、本発明の構成は、走行用モータに限らず、発電用モータやその他用途のモータ、又は車両用以外の回転電機（発電機を含む）にも適用可能である。
【００１３】
なお、本明細書では、説明を簡単にするために、回転電機１の前後左右上下を図中に示すように定義し、前方向をＦｒ、後方向をＲｒ、右方向をＲ、左方向をＬ、上方向をＵ、下方向をＤ、として示す。ただし、図中に示す方向は、回転電機１が搭載される車両等の方向とは無関係である。
【００１４】
図１に示すように、回転電機１は、ステータ１２と、ロータ１３と、ステータ１２及びロータ１３を収容するケース１１と、を備えている。ロータ１３は、円環形状を有し、シャフト（不図示）に外嵌される。ステータ１２は、ステータコア１２１と、ステータコア１２１に装着されたコイル１２２と、を備えている。ケース１１の内部には、ステータ１２及びロータ１３に加えて、左上方にコイル１２２に電力を供給する第１端子台５１が設けられると共に、上方に電力変換装置２側のバスバーが接続される第２端子台５２が設けられている。また、ケース１１の内部には、第１端子台５１と第２端子台５２とを電気的に接続するバスバーユニット３が設けられている。
【００１５】
ステータコア１２１は、ロータ１３を径方向の外側から取り囲む筒状に形成されており、ケース１１にボルト等の締結部材によって固定されている。
【００１６】
コイル１２２は、Ｕ相、Ｖ相、Ｗ相により構成された３相コイルである。コイル１２２は、セグメントコイルでもよく、連続した巻線でもよい。
【００１７】
バスバーユニット３は、３本のバスバー３０Ｕ、３０Ｖ、３０Ｗと、３本のバスバー３０Ｕ、３０Ｖ、３０Ｗをまとめて覆うカバー部材４０と、を備える。
【００１８】
図１〜図４に示すように、３本のバスバー３０Ｕ、３０Ｖ、３０Ｗは、コイル１２２と電気的に接続する第１端子台５１から電力変換装置２と電気的に接続する第２端子台５２へと帯状に延びる。
【００１９】
３本のバスバー３０Ｕ、３０Ｖ、３０Ｗはそれぞれ、第１端子部３０１Ｕ、３０１Ｖ、３０１Ｗと、第１端子部３０１Ｕ、３０１Ｖ、３０１Ｗから前方に延びる第１延在部３１１Ｕ、３１１Ｖ、３１１Ｗと、第１延在部３１１Ｕ、３１１Ｖ、３１１Ｗの前端部から上方に屈曲する第１屈曲部３２１Ｕ、３２１Ｖ、３２１Ｗと、第１屈曲部３２１Ｕ、３２１Ｖ、３２１Ｗから上方に延びる第２延在部３１２Ｕ、３１２Ｖ、３１２Ｗと、第２延在部３１２Ｕ、３１２Ｖ、３１２Ｗの上端部から右方に屈曲する第２屈曲部３２２Ｕ、３２２Ｖ、３２２Ｗと、第２屈曲部３２２Ｕ、３２２Ｖ、３２２Ｗから右方向に延びる第３延在部３１３Ｕ、３１３Ｖ、３１３Ｗと、第３延在部３１３Ｕ、３１３Ｖ、３１３Ｗの右端部から前方に屈曲する第３屈曲部３２３Ｕ、３２３Ｖ、３２３Ｗと、第３屈曲部３２３Ｕ、３２３Ｖ、３２３Ｗから前方に延びる第４延在部３１４Ｕ、３１４Ｖ、３１４Ｗと、第４延在部３１４Ｕ、３１４Ｖ、３１４Ｗの前端部から上方に屈曲する第４屈曲部３２４Ｕ、３２４Ｖ、３２４Ｗと、第４屈曲部３２４Ｕ、３２４Ｖ、３２４Ｗから上方に延びる第５延在部３１５Ｕ、３１５Ｖ、３１５Ｗと、第５延在部３１５Ｕ、３１５Ｖ、３１５Ｗに接続される第２端子部３０２Ｕ、３０２Ｖ、３０２Ｗと、を備える。
【００２０】
３本のバスバー３０Ｕ、３０Ｖ、３０Ｗは、所定の間隔を維持しながら各延在部３１１Ｕ〜３１５Ｕ、３１１Ｖ〜３１５Ｖ、３１１Ｗ〜３１５Ｗが平行に配置されている。なお、３本のバスバー３０Ｕ、３０Ｖ、３０Ｗの配置は適宜設定され得るが、本実施形態では、第１端子台５１において第１端子部３０１Ｕ、３０１Ｖ、３０１Ｗが上方から下方にこの順で配置され、第２端子台５２において３０２Ｕ、３０２Ｖ、３０２Ｗが右方から左方にこの順で配置される。
【００２１】
ここで、各延在部３１１Ｕ〜３１５Ｕ、３１１Ｖ〜３１５Ｖ、３１１Ｗ〜３１５Ｗは、直線状に延びている必要はなく、途中に傾斜部を有していてもよい。本実施形態の第３延在部３１３Ｕ、３１３Ｖ、３１３Ｗは、左側から右側に向かうにしたがって前方に傾斜する前傾部３１３Ｕａ、３１３Ｖａ、３１３Ｗａと、左側から右側に向かうにしたがって上方に傾斜する上傾部３１３Ｕｂ、３１３Ｖｂ、３１３Ｗｂと、を有する。
【００２２】
図５に示すように、第１端子部３０１Ｕ、３０１Ｖ、３０１Ｗは、前後方向と略垂直な平面を有し、第１延在部３１１Ｕ、３１１Ｖ、３１１Ｗの幅と同じ幅で、帯状の第１延在部３１１Ｕ、３１１Ｖ、３１１Ｗに接続される首部３０１Ｕｎ、３０１Ｖｎ、３０１Ｗｎと、第１延在部３１１Ｕ、３１１Ｖ、３１１Ｗの幅よりも広い締結部３０１Ｕｍ、３０１Ｖｍ、３０１Ｗｍと、を有する。
【００２３】
また、第１端子部３０１Ｕ、３０１Ｖ、３０１Ｗは、締結部３０１Ｕｍ、３０１Ｖｍ、３０１Ｗｍに、ボルト９３１Ｕ、９３１Ｖ、９３１Ｗが挿入される孔部３０１Ｕａ、３０１Ｖａ、３０１Ｗａを有し、孔部３０１Ｕａ、３０１Ｖａ、３０１Ｗａにボルト９３１Ｕ、９３１Ｖ、９３１Ｗが後方から挿入されることによって第１端子台５１に締結されている。そして、第１端子部３０１Ｕ、３０１Ｖ、３０１Ｗは、第１端子台５１を介して、Ｕ相、Ｖ相、Ｗ相の各相のコイル１２２の端子部（図示せず）と電気的に接続されている。
【００２４】
第１端子台５１は、第１端子部３０１Ｕ、３０１Ｖ、３０１Ｗの首部３０１Ｕｎ、３０１Ｖｎ、３０１Ｗｎの幅方向両端及び締結部３０１Ｕｍ、３０１Ｖｍ、３０１Ｗｍに当接する回り止め部５１１Ｕ、５１１Ｖ、５１１Ｗを有する。これにより、ボルト９３１Ｕ、９３１Ｖ、９３１Ｗによって、第１端子部３０１Ｕ、３０１Ｖ、３０１Ｗを第１端子台５１に締結する際に、バスバー３０Ｕ、３０Ｖ、３０Ｗが回転するのを防止することができる。
【００２５】
第２端子部３０２Ｕ、３０２Ｖ、３０２Ｗは、上下方向と略垂直な平面を有し、ボルト９３２Ｕ、９３２Ｖ、９３２Ｗが上方から挿入されることによって第２端子台５２に締結されている。そして、第２端子部３０２Ｕ、３０２Ｖ、３０２Ｗは、第２端子台５２を介して、Ｕ相、Ｖ相、Ｗ相の各相の電力変換装置２の端子部（図示せず）と電気的に接続されている。
【００２６】
図２〜図４に示すように、カバー部材４０は、第３延在部３１３Ｕ、３１３Ｖ、３１３Ｗの上傾部３１３Ｕｂ、３１３Ｖｂ、３１３Ｗｂよりも右端側の一部と、第３屈曲部３２３Ｕ、３２３Ｖ、３２３Ｗと、第４延在部３１４Ｕ、３１４Ｖ、３１４Ｗと、を覆っている。３本のバスバー３０Ｕ、３０Ｖ、３０Ｗは、カバー部材４０の内部では同一平面上で並んで配置されている。
【００２７】
このようにバスバー３０Ｕ、３０Ｖ、３０Ｗは、第３屈曲部３２３Ｕ、３２３Ｖ、３２３Ｗがカバー部材４０で覆われるため、バスバー３０Ｕ、３０Ｖを前後方向、左右方向、及び上下方向に相対的に移動させても第３屈曲部３２３Ｕ、３２３Ｖ、３２３Ｗがカバー部材４０に引っ掛かった状態となり、カバー部材４０から抜け落ちることがない。したがって、バスバーユニット３の組立後は、カバー部材４０により、３本のバスバー３０Ｕ、３０Ｖ、３０Ｗを一体として扱うことができる。
【００２８】
また、カバー部材４０は、回転電機１のケース１１に取り付けられたカバーベース４１と、３本のバスバー３０Ｕ、３０Ｖ、３０Ｗを覆うカバー部４２と、を備える。カバー部４２は、３本のバスバー３０Ｕ、３０Ｖ、３０Ｗを上方から覆うアッパーカバー４２Ｕと、３本のバスバー３０Ｕ、３０Ｖ、３０Ｗを下方から覆うロアカバー４２Ｌと、を有する。
【００２９】
ロアカバー４２Ｌは、同一平面上で並んで配置された３本のバスバー３０Ｕ、３０Ｖ、３０Ｗの幅方向において、底面４２０と、底面４２０の右端部及び後端部に立設された端壁部４２０ａと、底面４２０の左端部に立設された端壁部４２０ｂと、を有する。さらに、ロアカバー４２Ｌには、バスバー３０Ｕとバスバー３０Ｖとの間に配置される第１仕切壁４２１と、バスバー３０Ｖとバスバー３０Ｗとの間に配置される第２仕切壁４２２と、が設けられている。
【００３０】
さらに、第１仕切壁４２１及び第２仕切壁４２２の第４延在部３１４Ｕ、３１４Ｖ、３１４Ｗの前端側には、上方に延びる一対の係合爪４２１ａ、４２２ａが設けられている。
【００３１】
アッパーカバー４２Ｕは、ロアカバー４２Ｌの底面４２０と対向する上面４２３と、上面４２３から下方に延設され、ロアカバー４２Ｌの端壁部４２０ａ及び端壁部４２０ｂを囲う外周壁４２３ａと、を有する。さらに、アッパーカバー４２Ｕには、ロアカバー４２Ｌの係合爪４２１ａ、４２２ａと係合する一対の係合孔４２１ｂ、４２２ｂが設けられている。
【００３２】
カバーベース４１は、アッパーカバー４２Ｕ及びロアカバー４２Ｌを保持する保持部４１ａと、カバーベース４１を回転電機１のケース１１に固定するカバー固定部４１ｂと、を有する。
【００３３】
カバーベース４１の保持部４１ａには、係合爪４２１ａ、４２２ａが挿通する一対の挿通孔４１１、４１２が設けられている。そして、ロアカバー４２Ｌに設けられた一対の係合爪４２１ａ、４２２ａが、一対の挿通孔４１１、４１２を通って、アッパーカバー４２Ｕに設けられた一対の係合孔４２１ｂ、４２２ｂと係合することによって、アッパーカバー４２Ｕ及びロアカバー４２Ｌは、カバーベース４１に保持されている。
【００３４】
これにより、カバーベース４１、アッパーカバー４２Ｕ及びロアカバー４２Ｌが一箇所で固定されるので、構造を簡素化することができる。
【００３５】
カバーベース４１のカバー固定部４１ｂは、回転電機１のケース１１に向かって突出する差込部４１３と、２つの締結孔４１４と、を有する。そして、差込部４１３が回転電機１のケース１１に差し込まれ、２つの締結孔４１４にボルト９４１が挿入されることによって、カバー部材４０は、回転電機１のケース１１に取り付けられている。
【００３６】
ここで、カバー部材４０は、回転電機１のケース１１に取り付けられた状態で、３本のバスバー３０Ｕ、３０Ｖ、３０Ｗと接触しないように構成されている。
【００３７】
これにより、バスバー３０Ｕ、３０Ｖ、３０Ｗが振動した場合でも、バスバー３０Ｕ、３０Ｖ、３０Ｗとカバー部材４０とが接触することによる異音の発生を防止できる。
【００３８】
さらに、バスバー３０Ｕは、アッパーカバー４２Ｕと、ロアカバー４２Ｌと、端壁部４２０ａと、第１仕切壁４２１とで構成される空間内で動くことができる。同様に、バスバー３０Ｖは、アッパーカバー４２Ｕと、ロアカバー４２Ｌと、第１仕切壁４２１と、第２仕切壁４２２と、で構成される空間内で動くことができ、バスバー３０Ｗは、アッパーカバー４２Ｕと、ロアカバー４２Ｌと、第２仕切壁４２２と、端壁部４２０ｂと、で構成される空間内で動くことができる。
【００３９】
これにより、第１端子部３０１Ｕ、３０１Ｖ、３０１Ｗを第１端子台５１に締結する際、及び第２端子部３０２Ｕ、３０２Ｖ、３０２Ｗを第２端子台５２に締結する際、３本のバスバー３０Ｕ、３０Ｖ、３０Ｗは、カバー部４２内である程度動くことができるため、バスバー３０Ｕ、３０Ｖ、３０Ｗに製造誤差があっても、第１端子部３０１Ｕ、３０１Ｖ、３０１Ｗ及び第２端子部３０２Ｕ、３０２Ｖ、３０２Ｗを容易に第１端子台５１及び第２端子台５２に締結することができる。
【００４０】
また、第１仕切壁４２１に設けられた係合爪４２１ａは、バスバー３０Ｕとバスバー３０Ｖとの間に配置され、第２仕切壁４２２に設けられた係合爪４２２ａは、バスバー３０Ｖとバスバー３０Ｗとの間に配置されているので、カバーベース４１は、アッパーカバー４２Ｕ及びロアカバー４２Ｌをバランスよく保持することができ、カバー部材４０と３本のバスバー３０Ｕ、３０Ｖ、３０Ｗとの非接触状態を維持することができる。
【００４１】
なお、前述した実施形態は、適宜、変形、改良、等が可能である。例えば、本実施形態では、回り止め部５１１Ｕ、５１１Ｖ、５１１Ｗは、第１端子台５１に設けられているものとしたが、第２端子台５２に設けられていてもよく、第１端子台５１と第２端子台５２の両方に設けられていてもよい。
【００４２】
また、本実施形態では、第１仕切壁４２１及び第２仕切壁４２２は、ロアカバー４２Ｌに設けられているものとしたが、アッパーカバー４２Ｕに設けられるものとしてもよい。
【００４３】
また、３本のバスバー３０Ｕ、３０Ｖ、３０Ｗは、本実施形態では、この順に並んで配置されているものとしたが、任意の並び順とすることができる。
【００４４】
さらに、３本のバスバー３０Ｕ、３０Ｖ、３０Ｗは、本実施形態の形状に限らず、少なくとも１つの屈曲部を有しており、該屈曲部が同一平面上で並んで配置されていればよい。
【００４５】
また、本明細書には少なくとも以下の事項が記載されている。なお、括弧内には、上記した実施形態において対応する構成要素等を示しているが、これに限定されるものではない。
【００４６】
（１）  一端部に設けられた第１端子部（第１端子部３０１Ｕ、３０１Ｖ、３０１Ｗ）と、他端部に設けられた第２端子部（第２端子部３０２Ｕ、３０２Ｖ、３０２Ｗ）と、を備え、該第１端子部が回転電機（回転電機１）の各相のコイル（コイル１２２）の端子部に接続される、複数のバスバー（バスバー３０Ｕ、３０Ｖ、３０Ｗ）と、
該複数のバスバーをまとめて覆うカバー部材（カバー部材４０）と、を備えたバスバーユニット（バスバーユニット３）であって、
各バスバーは、屈曲部（第３屈曲部３２３Ｕ、３２３Ｖ、３２３Ｗ）を有し、
前記カバー部材は、少なくとも前記屈曲部の周囲を覆うカバー部（カバー部４２）と、前記カバー部を支持部材（ケース１１）に取り付けるカバー固定部（カバー固定部４１ｂ）と、を備え、
前記カバー部材は、前記カバー固定部が前記支持部材に取り付けられた状態で、前記複数のバスバーと接触しないように構成されている、バスバーユニット。
【００４７】
（１）によれば、カバー部が少なくとも屈曲部の周囲を覆うため、バスバーユニットの組立後は、カバー部材によって複数のバスバーを一体として扱うことができる。また、バスバーユニットの端子接続作業時には、複数のバスバーはカバー部内である程度動くことができるため、各バスバーに製造誤差があっても、各バスバーの第１端子部及び第２端子部を容易に接続することができる。
さらに、カバー部材は、カバー固定部が支持部材に取り付けられた状態で、複数のバスバーと接触しないように構成されているので、振動による異音の発生を防止できる。
【００４８】
（２）  （１）に記載のバスバーユニットであって、
前記カバー部材は、
前記複数のバスバーを上方から覆うアッパーカバー（アッパーカバー４２Ｕ）と、
前記複数のバスバーを下方から覆うロアカバー（ロアカバー４２Ｌ）と、
前記アッパーカバー及び前記ロアカバーを保持する保持部（保持部４１ａ）と、前記カバー固定部と、を有するカバーベース（カバーベース４１）と、を備える、バスバーユニット。
【００４９】
（２）によれば、カバーベースが、アッパーカバー及びロアカバーを保持する保持部と、カバー固定部と、を有することで、カバー部材が複数のバスバーと接触しない状態で、支持部材に取り付けられる。
【００５０】
（３）  （２）に記載のバスバーユニットであって、
前記アッパーカバー及び前記ロアカバーは、互いに係合する係合部（係合爪４２１ａ、４２２ａ、係合孔４２１ｂ、４２２ｂ）を有し、
前記カバーベースの前記保持部は、前記係合部を保持することで前記アッパーカバー及び前記ロアカバーを保持する、バスバーユニット。
【００５１】
（３）によれば、アッパーカバー、ロアカバー、及びカバーベースが一箇所で固定されるので、構造を簡素化することができる。
【００５２】
（４）  （３）に記載のバスバーユニットであって、
前記複数のバスバーは、３本のバスバーであり、
前記３本のバスバーは、前記カバー部材の内部で同一平面上に並べて配置され、
前記係合部は、前記アッパーカバー及び前記ロアカバーの一方に設けられた一対の係合爪（係合爪４２１ａ、４２２ａ）と、前記アッパーカバー及び前記ロアカバーの他方に設けられた一対の係合孔（係合孔４２１ｂ、４２２ｂ）と、を有し、
前記一対の係合爪の一方は、前記３本のバスバーのうち一方側のバスバーと中央のバスバーとの間に配置され、
前記一対の係合爪の他方は、前記３本のバスバーのうち他方側のバスバーと前記中央のバスバーとの間に配置されている、バスバーユニット。
【００５３】
（４）によれば、一対の係合爪の一方は、３本のバスバーのうち一方側のバスバーと中央のバスバーとの間に配置され、一対の係合爪の他方は、３本のバスバーのうち他方側のバスバーと中央のバスバーとの間に配置されているので、カバーベースは、アッパーカバー及びロアカバーをバランスよく保持することができ、カバー部材と３本のバスバーとの非接触状態を維持することができる。
【００５４】
（５）  （１）〜（４）のいずれか１項に記載のバスバーユニットであって、
各バスバーの前記第１端子部及び前記第２端子部は、締結部材（ボルト９３１Ｕ、９３１Ｖ、９３１Ｗ）が挿入される孔部（孔部３０１Ｕａ、３０１Ｖａ、３０１Ｗａ）を有し、
各バスバーの前記第１端子部及び前記第２端子部の少なくとも一方は、端子台（第１端子台５１）に設けられた回り止め部（回り止め部５１１Ｕ、５１１Ｖ、５１１Ｗ）と当接する、バスバーユニット。
【００５５】
（５）によれば、各バスバーの第１端子部及び第２端子部の少なくとも一方は、端子台に設けられた回り止め部と当接するので、締結部材の締結時に各バスバーが回転するのを防止することができる。
【符号の説明】
【００５６】
１  回転電機
１１  ケース（支持部材）
１２２  コイル
３  バスバーユニット
３０Ｕ、３０Ｖ、３０Ｗ  バスバー
３０１Ｕ、３０１Ｖ、３０１Ｗ  第１端子部
３０１Ｕａ、３０１Ｖａ、３０１Ｗａ  孔部
３０２Ｕ、３０２Ｖ、３０２Ｗ  第２端子部
３２１Ｕ、３２１Ｖ、３２１Ｗ  第１屈曲部
３２２Ｕ、３２２Ｖ、３２２Ｗ  第２屈曲部
３２３Ｕ、３２３Ｖ、３２３Ｗ  第３屈曲部（屈曲部）
４０  カバー部材
４１  カバーベース
４１ａ  保持部
４１ｂ  カバー固定部
４２  カバー部
４２Ｕ  アッパーカバー
４２Ｌ  ロアカバー
４２１ａ、４２２ａ  係合爪
４２１ｂ、４２２ｂ  係合孔
５１  第１端子台
５１１Ｕ、５１１Ｖ、５１１Ｗ  回り止め部
９３１Ｕ、９３１Ｖ、９３１Ｗ  ボルト
９３２Ｕ、９３２Ｖ、９３２Ｗ  ボルト
【図１】
2020018065.tif 000003
【図２】
2020018065.tif 000004
【図３】
2020018065.tif 000005
【図４】
2020018065.tif 000006
【図５】
2020018065.tif 000007